(57)【要約】【課題】電子機器の画面表示における注目領域の見やすさの向上と節電を両立させる。【解決手段】本発明に係る電子機器は、注目領域を定めるカーソルが設定された第１レイヤの画面生成手段と、透過部分及び非透過部分を有する第２レイヤの画面生成手段と、第２レイヤの画面が前面に位置するようにして第１レイヤの画面に重畳し合成する手段を備える。第２レイヤの画面の非透過部分の表示を、第１レイヤの注目領域を含む範囲の表示に一致させる。第１レイヤの画面の輝度を相対的に下げて、合成された画面を自発光型表示デバイスからなる表示手段によって表示する。【選択図】図６
2010039848.tif 000002
【特許請求の範囲】
【請求項１】
画像及びテキストを画面表示することができる表示手段と、
操作入力に用いられる操作手段と、
前記表示手段が表示する画面上に前記操作手段における操作入力に基づいて注目領域を設定する領域設定手段と、
前記画面上の非注目領域の輝度を前記注目領域の輝度よりも下げるように設定することができる輝度設定手段とを
備えたことを特徴とする電子機器。
【請求項２】
前記領域設定手段は、前記画面のサイズに合わせて形成されると共に前記注目領域が設定された第１のレイヤ画面を生成することができる第１の画面生成手段と、前記画面のサイズに合わせて形成されると共に透過部分及び非透過部分を有してなる第２のレイヤ画面を生成することができる第２の画面生成手段と、前記表示手段において前記第２のレイヤ画面が前記第１のレイヤ画面よりも前面に位置するように重畳して合成することができるレイヤ画面合成手段を有し、
前記輝度設定手段は、前記第１のレイヤ画面の輝度を前記第２のレイヤ画面の輝度よりも下げるように設定することができることを特徴とする請求項１に記載の電子機器。
【請求項３】
前記第２の画面生成手段は、前記第２のレイヤ画面の前記非透過部分の表示を前記第１のレイヤ画面に設定された前記注目領域を含む範囲の表示に一致させることができることを特徴とする請求項２に記載の電子機器。
【請求項４】
前記第２の画面生成手段は、前記第２のレイヤ画面の前記非透過部分の表示を前記第１のレイヤ画面に設定された前記注目領域を拡大した表示に一致させることができることを特徴とする請求項２に記載の電子機器。
【請求項５】
前記第１のレイヤ画面がテキスト表示画面である場合に、カーソルの位置する文字が表示された領域を前記注目領域として設定することができることを特徴とする請求項３又は請求項４に記載の電子機器。
【請求項６】
前記第１のレイヤ画面がカーソルを合わせた画面上の領域に対応する項目を選択するように構成されている場合に、前記カーソルを合わせた画面上の領域を前記注目領域として設定することができることを特徴とする請求項３又は請求項４に記載の電子機器。
【請求項７】
前記領域設定手段は、前記表示手段が表示する画面を構成する画素を順次走査する走査手段と、前記操作手段における操作入力に基づいて画面上のカーソルの位置を設定する手段と、前記走査手段が走査中の画素の位置から前記カーソルの位置までの距離を算出する算出手段とを有し、
前記輝度設定手段は、前記算出された距離が所与のしきい値を超える場合に前記走査中の画素に対して与える輝度を、前記算出された距離が前記しきい値以下の場合に与える輝度より相対的に下げることができることを特徴とする請求項１に記載の電子機器。
【請求項８】
前記算出手段が算出する距離は、前記表示手段が表示する画面上の位置を二次元座標で表したとき、前記二次元座標のいずれか一方の座標における前記走査中の画素の前記カーソルに対する相対位置であることを特徴とする請求項７に記載の電子機器。
【請求項９】
前記算出手段が算出する距離は、前記表示手段が表示する画面上の位置を二次元座標で表したとき、前記二次元座標における前記走査中の画素と前記カーソルの間のユークリッド距離であることを特徴とする請求項７に記載の電子機器。
【請求項１０】
前記算出手段が算出する距離は、前記表示手段が表示する画面上の位置を表す二次元座標において前記カーソルから前記しきい値相当の距離にある点の軌跡が前記カーソルを取り囲む閉じた平面図形として表されるように定義されたことを特徴とする請求項７に記載の電子機器。
【請求項１１】
前記輝度設定手段は、前記算出された距離が前記しきい値より大きい所定の値を超える場合に前記走査中の画素に対して与える輝度を、前記算出された距離が前記所定の値以下の場合に与える輝度より相対的に下げることができることを特徴とする請求項７に記載の電子機器。
【請求項１２】
前記表示手段は、自発光型表示デバイスを有してなることを特徴とする請求項１、請求項２又は請求項７のいずれか１項に記載の電子機器。
【発明の詳細な説明】
【技術分野】
【０００１】
本発明は電子機器に係り、特に画像及びテキストを画面表示することができる電子機器に関する。
【背景技術】
【０００２】
画面表示機能を有する電子機器（例えばパソコン、携帯電話、携帯ゲーム機等）は、身近な情報・娯楽ツールとして欠かせないものになっている。これらの電子機器ではさまざまな画像やテキストを表示するだけでなく、使いやすいユーザーインターフェースを提供することが重要視される（例えば、特許文献１又は特許文献２参照。）。
【０００３】
上記の特許文献１には、複数のレイヤを有して階層的に構成されたグラフィカルユーザインタフェース（ＧＵＩ）表示画面が開示されている。各レイヤ透過度を設定することができるので、オーバヘッドプロジェクタ（ＯＨＰ）用のトランスペアレントに描かれた画像を投影したイメージの画像を構成することができる。操作に伴う多様なイベントの処理を個別に各レイヤに対応付けることにより独立性を高め、ＧＵＩに関する機能の追加や削除を簡単にすることができる効果がある旨、記載されている。
【０００４】
上記の特許文献２には、それぞれ異なる機能に対応した複数のアイコンを同一のメニュー画面に表示する場合に、選択中のメニュー項目を表すアイコンを他のアイコンよりも注目させるようにハイライト表示する技術が開示されている。ハイライト表示は、例えばアイコンの表示色、サイズ、輝度等を変えることによって行うことができる。どのメニュー項目が選択、表示されているのかをユーザが直観的に理解することができるという効果がある旨、記載されている。
【特許文献１】特開第２００６−３５０４９０号公報（第７ページ、図４）
【特許文献２】特開第２００５−３２１８９６号公報（第９ページ、図１０）
【発明の開示】
【発明が解決しようとする課題】
【０００５】
身近な情報ツールである各種の電子機器の画面表示は、使いやすいユーザーインターフェースを提供するという要件に加えて、携帯型の場合をはじめとして節電に配慮したものでなければならない。上述した特許文献１に開示された技術は使いやすいユーザーインターフェースの要件に応えようとするものであるが、節電の面では別に検討が必要である。
【０００６】
上述した特許文献２に開示された技術は、画面上の注目領域の表示を被注目領域と区別して見やすくしようとするものであり、特許文献１と同様に使いやすいユーザーインターフェースの観点に立つものであって、節電の面では別に検討が必要である。
【０００７】
本発明は上記問題を解決するためになされたもので、電子機器の画面表示における注目領域の見やすさの向上と節電を両立させることを目的とする。
【課題を解決するための手段】
【０００８】
上記目的を達成するために、本発明の電子機器は、画像及びテキストを画面表示することができる表示手段と、操作入力に用いられる操作手段と、前記表示手段が表示する画面上に前記操作手段における操作入力に基づいて注目領域を設定する領域設定手段と、前記画面上の非注目領域の輝度を前記注目領域の輝度よりも下げるように設定することができる輝度設定手段とを備えたことを特徴とする。
【発明の効果】
【０００９】
本発明によれば、画面上に注目領域と非注目領域を設定して非注目領域の輝度を相対的に下げることにより、電子機器の画面表示における注目領域の見やすさの向上と節電を両立させることができる。
【発明を実施するための最良の形態】
【００１０】
以下、図面を参照して、本発明の実施例を説明する。
【実施例１】
【００１１】
以下、図１ないし図７を参照して、本発明の実施例１を説明する。図１は、本発明の実施例１に係る電子機器である折りたたみ型の携帯通信端末１の外観図である。携帯通信端末１は、第１筐体１１と第２筐体１２が開閉可能に接続されて構成される。図１は、第１筐体１１と第２筐体１２が互いに開いた状態を使用者側から見て表したものである。ただし、携帯通信端末１の筐体構成は、図１に表したような折りたたみ型に限るものではない。
【００１２】
第１筐体１１には、例えば有機エレクトロルミネッセンス（有機ＥＬ）デバイスからなる表示部１４が取り付けられている。表示部１４はテキスト及び画像を表示することができ、携帯通信端末１は表示部１４を用いて画面表示を伴うアプリケーション（例えば電子メール送受信、ウェブページ閲覧、電話帳の作成と閲覧、その他）を実行することができる。第１筐体１１には、受話部１５が取り付けられている。第２筐体１２には、送話部１６が取り付けられている。携帯通信端末１は、受話部１５と送話部１６を備えたことにより、音声通話に用いることができる。
【００１３】
第２筐体１２には、複数の操作キーからなる操作部１７（破線の枠で囲んで表す。）が取り付けられている。操作部１７は、図示しない第１筐体１１又は第２筐体１２の側面又は背面に設けられた操作キーを含んでもよい。操作部１７に属する操作キーが操作されることにより、携帯通信端末１の起動、停止操作又はテキストや操作コマンドの入力が可能になる。上述した表示部１４、受話部１５、送話部１６及び操作部１７は、いずれも携帯通信端末１のユーザーインターフェース手段として機能する。
【００１４】
図２は、携帯通信端末１のブロック図である。携帯通信端末１は、アンテナ１９と送受信部２０を備え、図示しない移動通信基地局との間で電波の送受信をすることができる。携帯通信端末１は、音声インターフェース部２１、制御部２２、ランダムアクセスメモリ（ＲＡＭ）２３及び読み出し専用メモリ（ＲＯＭ）２４を備えている。
【００１５】
制御部２２は、例えばマイクロプロセッサのような処理デバイスが単一で、又は複数のチップが組み合わされて構成される。ＲＡＭ２３は、携帯通信端末１が機能を実現するために制御部２２が所要のプログラム又はデータを随時読み書きして使用するメモリである。ＲＯＭ２４は、プログラム又はデータが予め書き込まれたメモリである。
【００１６】
送受信部２０、音声インターフェース部２１、ＲＡＭ２３及びＲＯＭ２４は、例えば共通バスを通してそれぞれ制御部２２に接続され、制御部２２によって監視及び制御される。図１を参照して説明した操作部１７は、同様に例えば共通バスを通して制御部２２に接続され、操作入力に対応する信号を制御部２２に送ることができる。図１を参照して説明した表示部１４は、表示制御部３０を介して例えば上記の共通バスに接続され、制御部２２の制御の下に画面表示が行われる。
【００１７】
図３は、表示制御部３０のブロック図である。表示制御部３０は、制御部インターフェース３１、設定レジスタセット３２、フレームメモリ３３及びメモリ制御部３４を有する。設定レジスタセット３２は、表示部１４が表示する画面の分解能に対応する水平、垂直画素数やブランキング幅の設定値を保存する設定レジスタが集合したものである。フレームメモリ３３は、表示部１４が表示する画面の表示内容のデータをフレーム単位で記憶する。
【００１８】
制御部インターフェース３１は、制御部２２の指示に従い、設定レジスタセット３２中の設定レジスタへのデータの書き込み及び設定レジスタからのデータの読み出しを仲介する。制御部インターフェース３１は、制御部２２の指示に従い、メモリ制御部３４を通してフレームメモリ３３へのデータの書き込みを仲介する。
【００１９】
表示制御部３０は、走査制御部３５及び画素処理部３６を有する。走査制御部３５は、表示部１４が表示する画面を構成する画素を設定レジスタセット３２中の画面同期のパラメータ（水平、垂直画素数やブランキング幅）の設定値に基づいて走査し、画素ごとにメモリ制御部３４に指示してフレームメモリ３３に書き込まれた表示内容のデータを読み出させる。
【００２０】
フレームメモリ３３から読み出されたデータは、上記の走査制御部３５による走査に同期しながら画素処理部３６において後述する演算処理を受ける。画素処理部３６には、画面上に表示されるカーソルの位置情報が制御部２２から制御部インターフェース３１を介して与えられる。
【００２１】
表示制御部３０は、表示信号出力部３７及び同期信号出力部３８を有する。表示信号出力部３７は、画素処理部３６における演算処理後の画面のデータを表示信号に変換して表示部１４に送る。同期信号出力部３８は、上記の走査制御部３５による走査に基づく同期信号を発生して表示部１４に送る。その結果表示部１４は、設定レジスタセット３２中に設定されたパラメータに基づいて、フレームメモリ３３にデータとして書き込まれた画面の内容を表示することができる。
【００２２】
図４は、画素処理部３６のブロック図である。画素処理部３６は、第１レイヤ生成部４１と、第２レイヤ生成部４２と、輝度設定部４３と、レイヤ画面合成部４４を有する。第１レイヤ生成部４１は、メモリ制御部３４がフレームメモリ３３から読み出した表示内容のデータと走査制御部３５から送られた走査信号を受けて、第１レイヤ（第１階層、なおレイヤの番号と後掲の各図における上下の順は一致しないことがある。）の画面データを生成することができる。第１レイヤの画面データは、表示部１４の画面サイズに合わせて形成される。
【００２３】
第１レイヤ生成部４１は、制御部２２から制御部インターフェース３１を介して送られたカーソルの位置情報を受けて、上記の通り生成された第１レイヤの画面データにおけるカーソル位置を含む注目領域を設定することができる。上記の注目領域の例は、テキスト表示画面においてカーソルが位置する文字、当該文字を含む前後の複数の文字又は当該文字を含む行全体である。
【００２４】
第２レイヤ生成部４２は、第１レイヤ生成部４１から上記の注目領域の情報を受け取ると共に、走査制御部３５から送られた走査信号を受け取ることができる。第２レイヤ生成部４２は、これらの情報及び信号から、注目領域を含む範囲に対応して第２レイヤ（第２階層）の画面データのうち非透過部分を生成し、かつ、注目領域を含む範囲の外に対応して第２レイヤの画面データのうち透過部分を生成することができる。非透過部分と透過部分をあわせた第２レイヤの画面データは、表示部１４の画面サイズに合わせて形成される。
【００２５】
レイヤ画面合成部４４は、第１レイヤの画面データと第２レイヤの画面データを、表示部１４において第２レイヤの画面が前面に位置するように重畳して合成することができる。このようなレイヤ画面の合成については、例えば特許文献１に記載されている。
【００２６】
上述した画面のレイヤ構成及び合成について、図５を参照して説明する。図５は、当該レイヤ構成及び合成の概念図である。図５における第１レイヤの画面はテキスト表示画面であって、上から２番目に位置している。第１レイヤの画面において、カーソルは表示されたテキストの５行目「声をワイヤレス」の４番目の文字「イ」の箇所に位置している。
【００２７】
この場合、第１レイヤの画面における注目領域は、当該５行目４番目の文字「イ」若しくは例えば前後の文字を含む文字列「ワイヤ」が表示された領域又は当該５行目の全体であると定義することができる。またこれらのいずれであっても、注目領域を含む範囲は例えば当該５行目の全体である（図５の第１レイヤにおいて点線で囲んで示す。）と定義することができる。
【００２８】
そうすると図５において最上位に位置する第２レイヤの画面は、上記の第１レイヤの５行目に相当する「声をワイヤレス」のテキストが表示された非透過部分と、その範囲外の透過部分（テキストは表示されない。）から構成される。
【００２９】
さらに第２レイヤの画面が表示部１４の前面にくるようにして第１レイヤの画面に重畳されることにより、図５の最下位に表した合成画面が得られる。合成画面に表示されたテキストの５行目以外の部分（注目領域を含む範囲の外）は、第１レイヤの画面が第２レイヤの透過部分を通して視認され、５行目（注目領域を含む範囲）は第２レイヤの非透過部分が視認される形になる。
【００３０】
以上の図５を参照する説明では、輝度設定部４３の動作に言及しなかった。図４に示すように、輝度設定部４３は第１レイヤの画面データの輝度を変化させて設定することができる。輝度の設定値は予めデフォルトで与えられていてもよく、制御部２２から指示されるとしてもよい。
【００３１】
上述したレイヤ合成において第１レイヤの輝度を変化させる場合について、図６の概念図を参照して説明する。図６は基本的に図５と同一であるが、第１レイヤの輝度が輝度設定部４３によって相対的に下げられたものとしている（ハッチングを付して表す。）。
【００３２】
そうすると最下位に位置する合成画面において、カーソルが位置するテキストの５行目は第２レイヤの非透過部分が従来の輝度で表示され、テキストの５行目以外の部分（注目領域を含む範囲の外）は相対的に低輝度にされた第１レイヤの画面が第２レイヤの透過部分を通して視認されることになる。
【００３３】
その結果、カーソルが位置する注目領域を含む範囲の表示が強調されて画面を見やすくすることができる。また、表示部１４が自発光型の素子（例えば有機ＥＬデバイス）を有してなるものとすれば、注目領域を含む範囲の外側を相対的に低輝度で表示することにより節電効果を得ることができる。
【００３４】
実施例１の変形例として、第２レイヤの非透過部分の表示を第１レイヤの注目領域の拡大表示に一致させたもの（いわゆる拡大鏡）を考えることができる。図７は、そのような変形例の概念を表す図である。図７の第１レイヤの画面は図６におけるものと同じくカーソルがテキスト５行目の「イ」の文字に位置し、かつ、相対的に低輝度にされている。
【００３５】
図７の第２レイヤの画面は、上記の第１レイヤ５行目の「イ」の文字の前後の文字列「をワイヤレ」を拡大して表示する非透過部分（拡大鏡）と、その範囲外の透過部分（テキストは表示されない。）から構成される。拡大鏡は、画面の最上部に位置するものとする。そうすると図７の最下位に位置する合成画面は、カーソルが位置するテキストの５行目の一部が拡大されて画面の最上部に従来の輝度で表示され、第１レイヤの画面のうち拡大鏡で覆われない範囲が相対的に低輝度で表示される。
【００３６】
実施例１の他の変形例として、第１レイヤの画面が図５ないし図７に示すようなテキスト表示画面ではなく、例えば機能選択用のアイコンが２次元的に配列されていずれかのアイコンにカーソルを合わせて選択できるように構成された画面である場合を考えることができる。そのような画面であっても、当該カーソルを合わせた画面上の領域を注目領域として、その注目領域を含む範囲を従来の輝度、範囲外を相対的低輝度で表示することができる。また、注目領域を拡大すると共に輝度に差をつけて表示することもできる。
【００３７】
さらに、注目領域を段階的に表示する変形例も考えることができる。例えば前述のテキスト表示画面において、カーソルが位置する１文字を従来の輝度、カーソルが位置する行のその他の文字をいく分低輝度、カーソルが位置する行以外の行をさらに低輝度で表示することができる。また、表示色によって差をつけてもよい。そのような変形例を実現するためは、図４の第２レイヤ生成部の出力に輝度又は色の設定手段を設ける構成とすればよい。
【００３８】
以上に説明した本発明の実施例１によれば、表示画面を注目領域と非注目領域に分けるようにレイヤ構成して後者を相対的低輝度にすることにより、注目領域の表示の見やすさと節電効果を同時に得ることができる。
【実施例２】
【００３９】
以下、図８ないし図１２を参照して、本発明の実施例２を説明する。図８は、本発明の実施例２に係る電子機器である携帯通信端末２のブロック図である。携帯通信端末２は、実施例１に係る携帯通信端末１と同様の筐体構成及び外観を有するものとする。携帯通信端末２は、携帯通信端末１の表示制御部３０を内部の構成が異なる表示制御部５０で置き換え、その他の構成及び相互の接続は図２に同じ符号を付して表した携帯通信端末１の他の構成に同じとしたものである。したがって、図８に表したうち表示制御部５０以外の構成についての説明は省略する。
【００４０】
図９は、表示制御部５０のブロック図である。表示制御部５０は、制御部インターフェース５１、設定レジスタセット５２、フレームメモリ５３及びメモリ制御部５４を有する。設定レジスタセット５２は、表示部１４が表示する画面の分解能に対応する水平、垂直画素数やブランキング幅の設定値を保存する設定レジスタが集合したものである。フレームメモリ５３は、表示部１４が表示する画面の表示内容のデータをフレーム単位で記憶する。
【００４１】
制御部インターフェース５１は、制御部２２の指示に従い、設定レジスタセット５２中の設定レジスタへのデータの書き込み及び設定レジスタからのデータの読み出しを仲介する。制御部インターフェース５１は、制御部２２の指示に従い、メモリ制御部５４を通してフレームメモリ５３へのデータの書き込みを仲介する。
【００４２】
表示制御部５０は、走査制御部５５及び画素処理部５６を有する。走査制御部５５は、表示部１４が表示する画面を構成する画素を設定レジスタセット５２中の画面同期のパラメータ（水平、垂直画素数やブランキング幅）の設定値に基づいて走査し、画素ごとにメモリ制御部５４に指示してフレームメモリ５３に書き込まれた表示内容のデータを読み出させる。
【００４３】
表示制御部５０は、カーソル位置レジスタ５７及び距離算出部５８を有する。カーソル位置レジスタ５７には、操作部１４における操作入力に基づいて与えられた画面上のカーソルの位置が制御部２２から制御部インターフェース５１を介して設定される。設定されたカーソル位置を表す情報は、走査制御部５５が走査中の画素の位置（以下、走査位置という。）を表す情報と共に、距離算出部５８に与えられる。これらの情報は、画面上の二次元（Ｘ−Ｙ）座標により画素数単位で表現されるものとする。
【００４４】
図１０は、距離算出部５８のブロック図である。カーソル位置レジスタ５７から与えられたカーソル位置のＸ座標と、走査制御部５５から与えられた走査位置のＸ座標が、引き算器６１に入力される。カーソル位置レジスタ５７から与えられたカーソル位置のＹ座標と、走査制御部５５から与えられた走査位置のＹ座標が、引き算器６２に入力される。
【００４５】
引き算器６１の出力は絶対値算出器６３に入力され、算出されたＸ座標どうしの差の絶対値が比較器６４に入力される。比較器６４には、基準値として例えば３２が与えられている。引き算器６２の出力は絶対値算出器６５に入力され、算出されたＹ座標どうしの差の絶対値が比較器６６に入力される。比較器６６には、基準値として例えば１６が与えられている。
【００４６】
比較器６４の出力は、カーソル位置のＸ座標と走査位置のＸ座標の差の絶対値が３２画素を超える場合及び３２画素未満である場合に、それぞれ論理１及び論理０である。比較器６６の出力は、カーソル位置のＹ座標及び走査位置のＹ座標の差の絶対値が１６画素を超える場合と１６画素未満である場合に、それぞれ論理１及び論理０である。
【００４７】
比較器６４の出力及び比較器６６の出力は、論理和ゲート６７に入力される。論理和ゲート６７の出力は即ち距離算出部５８の出力であって、カーソル位置のＸ座標と走査位置のＸ座標の差の絶対値が３２画素を超えるか又はカーソル位置のY座標と走査位置のY座標の差の絶対値が１６画素を超える場合に論理１、それ以外の場合に論理０である。
【００４８】
図１１は、距離算出部５８の出力を画面上に表す図である。中央部の十字がカーソルの位置を表す。上述した演算によれば、走査位置がカーソルの位置を中心としてＸ軸方向、Ｙ軸方向の長さがそれぞれ６４画素、３２画素である長方形の内側にあるとき距離算出部５８の出力は論理０、上記の長方形の外側（ハッチングで表す。）にあるとき距離算出部５８の出力は論理１である。
【００４９】
換言すれば、距離算出部５８の算出する距離は、Ｘ座標とＹ座標のいずれか一方における走査位置のカーソルに対する相対位置であるということができる。上記相対位置の値が、しきい値として与えた３２画素又は１６画素を超えるか超えないかによって、距離算出部５８の出力が定まることになる。
【００５０】
図１２は、画素処理部５６のブロック図である。画素処理部５６は、輝度設定部６８と画面生成部６９を有する。輝度設定部６８は、図１１に表した長方形の外側にある画素の輝度を内側にある画素の輝度より下げるように制御する。画面生成部６９は、メモリ制御部５４がフレームメモリ５３から読み出した表示内容のデータと走査制御部５５から送られた走査信号を受けて、輝度調整後の画面データを生成することができる。そうすると、図１１のハッチングを施した画面上の範囲ではカーソルの周辺に比べ低輝度で表示されることになる。
【００５１】
ここで図９に戻ると、画素処理部５６が生成した輝度調整後の画面のデータは表示信号出力部７１によって表示信号に変換される。表示制御部５０に含まれる同期信号出力部７２は、走査制御部５５による走査に基づく同期信号を発生して表示部１４に送る。その結果表示部１４は、設定レジスタセット５２中に設定されたパラメータに基づいて、フレームメモリ５３にデータとして書き込まれた表示内容を、カーソルに対する遠近の程度により輝度が区別された態様で表示することができる。
【００５２】
つまり実施例２によれば、実施例１のように画面をレイヤ構成したりしなくても、注目領域であるカーソルを含む範囲の外側を相対的に低輝度で表示することにより注目領域の見やすさと節電効果を同時に得ることができる。
【００５３】
実施例２の変形例として、距離算出部５８の算出する距離は上記のＸ−Ｙ座標におけるユークリッド距離であるとすることができる。その場合にしきい値として定数を与えると、カーソルの位置を中心に持ち当該しきい値を半径とする円の外側を低輝度に設定することができる。
【００５４】
実施例２の他の変形例として、上記のＸ−Ｙ座標においてカーソルからしきい値相当の距離にある点の軌跡が、カーソルを取り囲む閉じた平面図形として表されるように定義されたものを考えることができる。当該平面図形の形状は、図１１に表した長方形や上述した円に限らず、楕円や他の多角形も考えることができる。
【００５５】
実施例２のさらに他の変形例として、距離算出部５８の算出した距離が上記のしきい値より大きい所定の値を超える場合にはさらに低輝度に設定することができるようにしてもよい。その場合には３段階以上にわたって輝度を変化させることができ、視覚的効果を高めることができる。
【００５６】
以上に説明した本発明の実施例２によれば、画面のレイヤ構成を行わなくても注目領域の見やすさと節電効果を同時に得ることができる。なお、以上の説明における電子機器（必ずしも携帯通信端末に限るものではない。）の種類、形状、構成、接続、画面表示、論理的な処理の構成、注目領域を含む範囲の定め方等は例示であり、本発明の要旨を逸脱しない範囲でさまざまな変形が可能である。
【図面の簡単な説明】
【００５７】
【図１】本発明の実施例１に係る電子機器（携帯通信端末）の外観図。
【図２】本発明の実施例１に係る携帯通信端末のブロック図。
【図３】本発明の実施例１に係る携帯通信端末の表示制御部のブロック図。
【図４】本発明の実施例１に係る携帯通信端末の画素処理部のブロック図。
【図５】本発明の実施例１に係る携帯通信端末の画面のレイヤ構成及び合成の概念図。
【図６】本発明の実施例１に係る携帯通信端末のレイヤ構成及び合成に輝度の相対変化を含む場合の概念図。
【図７】本発明の実施例１に係る携帯通信端末の変形例のレイヤ構成及び合成に輝度の相対変化を含む場合の概念図。
【図８】本発明の実施例２に係る携帯通信端末のブロック図。
【図９】本発明の実施例２に係る携帯通信端末の表示制御部のブロック図。
【図１０】本発明の実施例２に係る携帯通信端末の距離算出部のブロック図。
【図１１】本発明の実施例２に係る携帯通信端末の距離算出部の出力を画面上に表す図。
【図１２】本発明の実施例２に係る携帯通信端末の画素処理部のブロック図。
【符号の説明】
【００５８】
１  携帯通信端末
１１  第１筐体
１２  第２筐体
１４  表示部
１５  受話部
１６  送話部
１７  操作部
１９  アンテナ
２０  送受信部
２１  音声インターフェース部
２２  制御部
２３  ＲＡＭ
２４  ＲＯＭ
３０、５０  表示制御部
３１、５１  制御部インターフェース
３２、５２  設定レジスタセット
３３、５３  フレームメモリ
３４、５４  メモリ制御部
３５、５５  走査制御部
３６、５６  画素処理部
３７、７１  表示信号出力部
３８、７２  同期信号出力部
４１  第１レイヤ生成部
４２  第２レイヤ生成部
４３、６８  輝度設定部
４４  レイヤ画面合成部
６１、６２  引き算器
６３、６５  絶対値算出器
６４、６６  比較器
６７  論理和ゲート
６９  画面生成部
【図１】
2010039848.tif 000003
【図２】
2010039848.tif 000004
【図３】
2010039848.tif 000005
【図４】
2010039848.tif 000006
【図５】
2010039848.tif 000007
【図６】
2010039848.tif 000008
【図７】
2010039848.tif 000009
【図８】
2010039848.tif 000010
【図９】
2010039848.tif 000011
【図１０】
2010039848.tif 000012
【図１１】
2010039848.tif 000013
【図１２】
2010039848.tif 000014